(57)【要約】【課題】双安定カラー電気光学ディスプレイデバイスを駆動する改良された装置および方法を提供すること。【解決手段】カラー表示素子を有するカラーディスプレイの駆動方法は、表示素子の状態を記述する、２つ以上の成分色の記述を含むデータを受信するステップと、成分色のうちの１つとカラー表示素子の特定のサブ画素との間の対応を決定するステップと、成分色を、特定のサブ画素の特性に基づいて、波形に対応付けるステップと、対応付けられた波形を用いてサブ画素を駆動するステップと、を含む。【選択図】図４
2012226336.tif 000002
【特許請求の範囲】
【請求項１】
カラー表示素子を有するカラーディスプレイの駆動方法であって、
前記表示素子の状態を記述する、２つ以上の成分色の記述を含むデータを受信するステップと、
前記成分色のうちの１つと前記カラー表示素子の特定のサブ画素との間の対応を決定するステップと、
前記成分色を、前記特定のサブ画素の特性に基づいて、波形に対応付けるステップと、
前記対応付けられた波形を用いて前記サブ画素を駆動するステップと、
を含む、カラーディスプレイの駆動方法。
【請求項２】
前記特定のサブ画素は色フィルターを含み、前記特性は該色フィルターの特性を含む、請求項１に記載のカラーディスプレイの駆動方法。
【請求項３】
前記色フィルターは、赤色、緑色、または青色の色フィルターのうちの１つを含む、請求項２に記載のカラーディスプレイの駆動方法。
【請求項４】
前記色フィルターは、赤色、緑色、青色、または白色の色フィルターのうちの１つを含む、請求項２に記載のカラーディスプレイの駆動方法。
【請求項５】
前記特性は前記特定のサブ画素の光学的状態と成分色値との間の関係を含む、請求項１乃至４のいずれか一項に記載のカラーディスプレイの駆動方法。
【請求項６】
表示素子特性を補償するべく初期化データ値を変更することによって、最適化されたデータ値を生成するステップと、
前記最適化されたデータ値を用いて波形を選択するステップと、
前記選択された波形を入力データ値に対応付けるステップと、
前記対応付けをメモリー内に記録するステップと、
をさらに含む、請求項１に記載のカラーディスプレイの駆動方法。
【請求項７】
前記成分色の、波形への前記対応付けは、前記メモリーから前記対応付けを取り込むことを含む、請求項６に記載のカラーディスプレイの駆動方法。
【請求項８】
カラーディスプレイのカラー画素の状態を記述する、一の前記カラー画素について２つ以上の成分色の記述を含むデータを受信する第１のユニットと、
前記成分色と、特定のカラー画素の特定のサブ画素との間の対応を決定する第２のユニットと、
前記成分色を、前記成分色に対応する前記特定のサブ画素の特性に基づいて、波形に対応付ける第３のユニットと、
前記対応付けられた波形を用いて前記サブ画素を駆動する第４のユニットと、
を含む、画像処理装置。
【請求項９】
前記特定のサブ画素は色フィルターを含み、前記特性は該色フィルターの特性を含む、請求項８に記載の画像処理装置。
【請求項１０】
前記色フィルターは、赤色、緑色、または青色の色フィルターのうちの１つを含む、請求項９に記載の画像処理装置。
【請求項１１】
前記色フィルターは、赤色、緑色、青色、または白色の色フィルターのうちの１つを含む、請求項９に記載の画像処理装置。
【請求項１２】
前記特性は前記特定のサブ画素の光学的状態と成分色値との間の関係を含む、請求項８乃至１１のいずれか一項に記載の画像処理装置。
【請求項１３】
前記第２のユニットによる前記成分色と特定のカラー画素の特定のサブ画素との間の対応の前記決定は色フィルターアレイ内の前記サブ画素の前記空間位置に基づいて行われる、請求項８乃至１２のいずれか一項に記載の画像処理装置。
【請求項１４】
カラーディスプレイと、
前記カラーディスプレイのカラー画素の状態を記述する、一の前記カラー画素について２つ以上の成分色の記述を含むデータを受信する第１のユニットと、
前記成分色と特定のカラー画素の特定のサブ画素との間の対応を決定する第２のユニットと、
前記成分色を、前記成分色に対応する前記特定のサブ画素の特性に基づいて、波形に対応付ける第３のユニットと、
前記対応付けられた波形を用いて前記サブ画素を駆動する第４のユニットと、
を含む、画像表示システム。
【請求項１５】
前記特定のサブ画素は色フィルターを含み、前記特性は該色フィルターの特性を含む、請求項１４に記載の画像表示システム。
【請求項１６】
前記色フィルターは、赤色、緑色、または青色の色フィルターのうちの１つを含む、請求項１５に記載の画像表示システム。
【請求項１７】
前記色フィルターは、赤色、緑色、青色、または白色の色フィルターのうちの１つを含む、請求項１５に記載の画像表示システム。
【請求項１８】
前記特性は前記特定のサブ画素の光学的状態と成分色値との間の関係を含む、請求項１４乃至１７のいずれか一項に記載の画像表示システム。
【請求項１９】
前記第２のユニットによる前記成分色と特定のカラー画素の特定のサブ画素との間の対応の前記決定は色フィルターアレイ内の前記サブ画素の前記空間位置に基づいて行われる、請求項１４乃至１８のいずれか一項に記載の画像表示システム。
【発明の詳細な説明】
【技術分野】
【０００１】
本出願は概して、双安定カラー電気光学ディスプレイデバイスを駆動する装置および方法に関する。
【背景技術】
【０００２】
電気光学材料とは、少なくとも第１および第２の表示状態を有する材料を指す場合がある。電気光学材料の表示状態は、材料に電場を印加することによって変化し得る。表示状態は少なくとも１つの光学特性が互いに異なる。光学特性は、人間の眼にとって知覚可能な色、あるいは光の透過、反射、または発光等の別の光学特性であり得る。光学特性とは、スペクトルのうちの人間の視覚にとって知覚可能な部分内またはその外の電磁放射に関連し得る。
【０００３】
双安定電気光学ディスプレイとは、電気光学材料を含む表示素子（画素、サブ画素、または「表示画素」とも呼ばれる）を有するディスプレイを指す場合がある。当技術分野において、「双安定」という用語は、２つの表示状態を有する表示素子を指す場合もあるし、または２つを超える表示状態を有する表示素子を指す場合もある。それ故、双安定という用語は、実際は複数の安定状態を有する表示素子を指すために用いられ得る。一般的に言えば、双安定表示素子の表示状態は、それが、表示素子を特定の表示状態に置くべく印加された電場の持続時間の少なくとも数倍、例えば、場の持続時間の少なくとも４倍、持続することになれば、安定であると考えられてよい。
【０００４】
いくつかの形式の電気光学ディスプレイが知られている。１つの形式の電気光学ディスプレイは、回転２色部材の形式である。回転２色部材ディスプレイは、各々異なる光学的性質を持つ２つ以上の区域、および内部双極子を有する多数の小体を用い得る。小体は、マトリックス内の、液体を満たした小胞内に浮遊させ得る。別の形式の電気光学ディスプレイは、エレクトロクロミック媒体、例えば、少なくとも一部は半導体金属酸化物で形成された電極、および該電極に付けられた、可逆的色変化の能力がある複数の染料分子を含むナノクロミック膜、を用いる。さらに別の形式の電気光学ディスプレイはエレクトロウエッティングディスプレイである。
【０００５】
１つの形式の電気光学ディスプレイは、媒体内に２つ以上の粒子を浮遊させ得る、粒子ベースの電気泳動ディスプレイである（特許文献１）。粒子は、或る粒子は明色、その他は暗色である、色素性のものであり得る。明色は白色であり得、暗色は黒色であり得る。ただし、これは必須のことではない。任意の適当な色が用いられてよい。粒子は正または負のいずれかに帯電し得、明色および暗色粒子は逆の帯電極性を有する。帯電した色素性粒子が電場内に配されると、粒子は場に応答して媒体内を動く。電気泳動として知られる現象である。媒体は液体または気体であり得る。媒体内に浮遊させた粒子の集団はカプセル内に封入され得る。カプセルは、２つの電極の間に位置し得る密着した層を形成するべくポリマー接着剤内に保持され得る。代替的に、媒体内に浮遊させた粒子がポリマー材料の連続相内に導入され得る、これはポリマー分散型電気泳動ディスプレイと呼ばれる場合がある。別の代替例では、媒体内に浮遊させた粒子の集団が、担体媒体、典型的にはポリマー膜、内に形成された空洞内に封入され得、これはマイクロセル電気泳動ディスプレイと呼ばれる場合がある。
【０００６】
上述されたように、電気光学表示素子の表示状態に関連付けられてよい１つの光学特性は反射または透過であり得る。前者の特性の一例として、粒子ベースの電気光学表示素子の表示状態は様々な反射度を含み得る。後者の特性の例として、粒子ベースの電気光学表示素子の表示状態は、一方の表示状態は実質的に不透明であり、もう一方の表示状態は光透過性である「シャッターモード」で動作するようになされ得る。
【先行技術文献】
【特許文献】
【０００７】
【特許文献１】特開２００２−１１６７３３号公報
【発明の概要】
【発明が解決しようとする課題】
【０００８】
画像をできるだけ正確にレンダリングすることが望ましい。同様に、画像をレンダリングする際のレイテンシおよび電力消費を最小限に抑えることが望ましい。電気光学ディスプレイの見え方は主としてその反射率に左右され得る。照明条件によっては、電気光学表示素子が反射する光が、望まれ得る量よりも少なくなる場合があり、それが色忠実度を低下させてしまう場合がある。色忠実度を向上させる処置をとると、表示状態を変化させるために必要な時間または電力を増大させてしまう場合がある。本発明は、上述した事情に鑑みてなされたものであり、その目的の一つは、双安定カラー電気光学ディスプレイデバイスを駆動する改良された装置および方法を提供することである。
【課題を解決するための手段】
【０００９】
カラー表示素子を有するカラーディスプレイの駆動方法は、前記表示素子の状態を記述する、２つ以上の成分色の記述を含むデータを受信するステップと、前記成分色のうちの１つと前記カラー表示素子の特定のサブ画素との間の対応を決定するステップと、前記成分色を、前記特定のサブ画素の特性に基づいて、波形に対応付けるステップと、前記対応付けられた波形を用いて前記サブ画素を駆動するステップと、を含む。
【００１０】
上記カラーディスプレイの駆動方法において、特定のサブ画素は色フィルターを含んでよく、特性は色フィルターの特性を含んでよい。色フィルターは、赤色、緑色、または青色の色フィルターのうちの１つを含んでよい。代替的に、色フィルターは、赤色、緑色、青色、または白色の色フィルターのうちの１つを含んでよい。特性は特定のサブ画素の光学的状態と成分色値との間の関係を含んでよい。
【００１１】
上記カラーディスプレイの駆動方法においては、表示素子特性を補償するべく初期化データ値を変更することによって、最適化されたデータ値を生成するステップと、前記最適化されたデータ値を用いて波形を選択するステップと、前記選択された波形を入力データ値に対応付けるステップと、前記対応付けをメモリー内に記録するステップと、をさらに含んでいてもよい。上述された、成分色の波形への対応付けは、メモリーから対応付けを取り込むことを含んでよい。
【００１２】
画像処理装置は、カラーディスプレイのカラー画素の状態を記述する、一の前記カラー画素について２つ以上の成分色の記述を含むデータを受信する第１のユニットと、前記成分色と、特定のカラー画素の特定のサブ画素との間の対応を決定する第２のユニットと、前記成分色を、前記成分色に対応する前記特定のサブ画素の特性に基づいて、波形に対応付ける第３のユニットと、前記対応付けられた波形を用いて前記サブ画素を駆動する第４のユニットと、を含む。
【００１３】
上記画像処理装置において、特定のサブ画素は色フィルターを含んでよく、特性は色フィルターの特性を含む。色フィルターは、赤色、緑色、または青色の色フィルターのうちの１つを含んでよい。代替的に、色フィルターは、赤色、緑色、青色、または白色の色フィルターのうちの１つを含んでよい。特性は特定のサブ画素の光学的状態と成分色値との間の関係を含んでよい。前記第２のユニットによる前記成分色と特定のカラー画素の特定のサブ画素との間の対応の前記決定は色フィルターアレイ内の前記サブ画素の前記空間位置に基づいて行われてもよい。
【００１４】
画像表示システムは、カラーディスプレイと、前記カラーディスプレイのカラー画素の状態を記述する、一の前記カラー画素について２つ以上の成分色の記述を含むデータを受信する第１のユニットと、前記成分色と特定のカラー画素の特定のサブ画素との間の対応を決定する第２のユニットと、前記成分色を、前記成分色に対応する前記特定のサブ画素の特性に基づいて、波形に対応付ける第３のユニットと、前記対応付けられた波形を用いて前記サブ画素を駆動する第４のユニットと、を含む。
【００１５】
上記画像表示システムにおいて、特定のサブ画素は色フィルターを含んでよく、特性は色フィルターの特性を含む。色フィルターは、赤色、緑色、または青色の色フィルターのうちの１つを含んでよい。代替的に、色フィルターは、赤色、緑色、青色、または白色の色フィルターのうちの１つを含んでよい。特性は特定のサブ画素の光学的状態と成分色値との間の関係を含んでよい。前記第２のユニットによる前記成分色と特定のカラー画素の特定のサブ画素との間の対応の前記決定は色フィルターアレイ内の前記サブ画素の前記空間位置に基づいて行われてもよい。
【図面の簡単な説明】
【００１６】
【図１】例示的な双安定単色電気光学ディスプレイデバイスの一部の単純化された断面図を示す。
【図２】例示的な双安定電気光学表示素子の表示状態を変化させるための例示的な波形を示す。
【図３】例示的な双安定カラー電気光学ディスプレイデバイスの一部の単純化された断面図を示す。
【図４】１つの実施形態による、双安定電気光学カラーディスプレイを駆動する方法を示す。
【図５】１つの実施形態による、双安定カラー電気光学ディスプレイデバイスを駆動する例示的なディスプレイシステムを示す。
【図６】１つの代替実施形態による、双安定カラー電気光学ディスプレイデバイスを駆動する例示的なディスプレイシステムを示す。
【発明を実施するための形態】
【００１７】
図１は、１つの実施形態による例示的なディスプレイ（電気光学ディスプレイ）１１８の一部の単純化された断面図を示す。ディスプレイ１１８は、透明共通電極１２０と複数の表示素子電極１２２との間に挟まれた電気泳動媒体を含んでいる。表示素子１３４の一方の側は表示側に指定され（例えば、透明共通電極１２０側）、反対側は不可視側とされる。表示素子電極１２２は基板１２４上に配置されている。電気泳動媒体は１つ以上のマイクロカプセル１２６を含んでいる。各マイクロカプセル１２６は、流体１３２内に浮遊させた正に帯電した白色粒子（明色粒子）１２８および負に帯電した黒色粒子（暗色粒子）１３０を含んでいる。代替的に、白色粒子が負に帯電し、黒色粒子が正に帯電していてもよい。加えて、粒子が白色および黒色のみであることは重要でなく、他の色が用いられてもよい。１つの実施形態では、各表示素子１３４は１つの表示素子電極１２２に対応してよい。しかし、これは必須のことではない。加えて、各表示素子１３４は１つ以上のマイクロカプセル１２６に対応してよい。表示素子１３４は、白色粒子１２８を表示側に向かって運動させるとともに黒色粒子１３０を表示側から離れるように運動させる電場に応答して、より明るく見えるようになる。逆の極性の電場に曝された表示素子１３４はより暗く見えるようになる。従って、表示素子１３４は、素子に電場を発生させることによって特定の表示状態に置かれる。
【００１８】
表示素子１３４の１つ以上のマイクロカプセル１２６の集団を区切る電極の対は任意の適当な様式で制御されてよい。１つの実施形態では、表示素子１３４は、電極のアクティブマトリックスを用いて形成されてよい。代替実施形態では、表示素子１３４は、電極のパッシブマトリックスを用いて形成されてよい。１つの実施形態では、電気光学ディスプレイは、表示素子１３４のマトリックスであって、各表示素子は媒体内に浮遊させた複数の粒子を包含する１つ以上のカプセルを含み、カプセルの集団は共通電極と表示素子電極との間に配置される、表示素子１３４のマトリックスを含んでよい。共通電極と表示素子電極との間に電圧差を確立すると、表示素子１３４に、粒子に対する起電力を生じさせる電場を作り出す。次に、起電力は、媒体内の粒子の位置分布を変え、次に、それによって表示素子１３４の表示状態が変化し得る。
【００１９】
電場が粒子をカプセル内で変位させることになる距離は時間、ならびに電圧の大きさおよび極性の関数である。加えて、粒子変位は粒子の初期位置の関数である。粒子変位は媒体の粘性および周囲温度等の他の因子にも左右される場合もある。数学的に、電場は、電極に印加される電圧の、時間に関する積分として規定されてよい。従って、大きな電圧を短時間にわたって印加することは、電圧の時間積分が等しいとすれば、より小さい電圧をより長時間にわたって印加するのと同じ変位を生じさせる。同様に、長時間にわたる単一の電圧は、この場合もまたいくつかの電圧の時間積分が等しいとすれば、より短時間にわたる２つ以上の電圧パルスと同じ変位を生じさせる。本例が示すように、電圧が特定の期間にわたり継続的に印加されるということは必須ではない。時間的に離間された一連の電圧が表示素子の両端間にかけられてよい。加えて、一連の電圧内の電圧がどれも皆同じ大きさまたはさらには同じ極性を有するということは必須ではない。実際、表示素子両端間には、様々な大きさおよび極性の一連の電圧（時間的に離間されていてもよいしまたはそうでなくてもよい）を設定することが望ましい場合がある。例えば、粒子の最初の「振り混ぜ」を提供する、ＤＣバランスを向上させる、エネルギーを節約する、または他の必要性に応えるために、持続時間、大きさ、および極性が変動する電圧群が望ましい場合がある。電圧の特定の時間積分は、電圧および時間の数多くの組み合わせによって生成され得る。
【００２０】
本記載では、「波形（waveform）」または「駆動波形」という用語は、表示素子に新しい表示状態に遷移させるために用いられる電圧および関連する期間の特定の組み合わせを指す。本記載では、或る期間にわたる単一の継続的な電圧が「電圧パルス」または「パルス」と呼ばれる場合がある。これらの定義を用いると、駆動波形は１つ以上の電圧パルスを含んでよい。１つの実施形態では、波形が２つ以上の電圧パルスを含む。表示素子に、１つの特定の表示状態に遷移させるために複数の異なる波形が用いられてよいことは理解されよう。
【００２１】
図２は例示的な波形２０２および２０４を示す。単一のパルスがアサートされる期間はフレーム期間と呼ばれる場合がある。任意の休止期間とともにパルスの列全体に関連付けられる時間は波形期間と呼ばれる場合がある。波形２０２および２０４は異なる波形期間を有する。
【００２２】
上述されたように、粒子変位は媒体内の粒子の初期位置に左右される。従って、あり得る表示状態毎に単一の波形を提供するのでは十分でない場合がある。それよりむしろ、あり得る最終表示状態毎に、あらゆるあり得る初期表示状態に対する固有の波形が必要とされる場合がある。換言すると、初期表示状態から最終表示状態へのあらゆるあり得る遷移のために異なる波形が必要とされる場合がある。１つの実施形態では、あり得る表示状態遷移毎に駆動波形が提供されてよい。特定の条件下において、すべてのあり得る表示状態遷移のための駆動波形のセットは「駆動方式（drive scheme）」と呼ばれる場合がある。特定の電気光学ディスプレイデバイスのために、異なる温度条件または他の因子を補償するべく、異なる駆動方式、すなわち、駆動波形のセット、が提供されてよい。
【００２３】
表示素子１３４に波形を印加することは一般的に色素性粒子を再分布させる。媒体内で色素性粒子が分布する態様に種々の表示状態が対応してよい。ただし、１つの特定の表示状態が粒子の２つ以上の分布に対応する場合があり得てもよいことを理解されたい。電気光学表示素子１３４の表示状態は、それがどれほどの光を反射するのかに対応し、画素は反射される光の量によって、黒色、白色、または中間のグレーの色調に見える。従って、波形を表示素子１３４に印加することによって特定のグレーレベルが作り出される。
【００２４】
図３を参照すると、カラーの表示素子３３４は、表示素子の表示側上に配される色フィルターを含んでよい。図３は、１つの実施形態による例示的なカラーディスプレイ３１８の一部の単純化された断面図を示す。カラーディスプレイ３１８は、透明共通電極３２０と、基板３２４上にある複数の表示素子電極３２２との間に挟まれた電気泳動媒体を含んでいる。電気泳動媒体は、ディスプレイ１１８に関して上述されたのと同じ媒体であってよい。電気泳動媒体は、流体３３２内に浮遊させた明色粒子３２８および暗色粒子３３０を有するマイクロカプセル３２６を含んでいる。加えて、各表示素子３３４はフィルター３３６、３３８、３４０、または３４２を含んでいる。フィルターは透明共通電極３２０と電気泳動媒体との間に配置されている。フィルターは、該フィルターに関連付けられる特定の表示素子上に入射する光が該フィルターを通過するように配置されている。フィルターは、特定の表示素子に関連付けられるマイクロカプセル３２６に隣接して配されてよい。フィルターは、表示素子電極３２２と反対側の場所内に配されてよい。１つの代替例では、透明共通電極３２０はフィルター３３６、３３８、３４０、または３４２と、特定のサブ画素に関連付けられるマイクロカプセル３２６との間に配置されてよい。
【００２５】
フィルター３３６、３３８、３４０、または３４２は多様な色の組み合わせ、例えば、赤色、緑色、および青色の原色、で提供されてよい。１つの実施形態では、フィルター３３６は青色の色フィルターであってよく、フィルター３３８は緑色の色フィルターであってよく、フィルター３４０は白色の色フィルターであってよく、フィルター３４２は赤色の色フィルターであってよい。色フィルターは多様なモザイクパターン、例えば、ベイヤーパターン、で提供されてよい。電気光学表示素子のアレイ上に色フィルターアレイ（「color filter array、ＣＦＡ」）が配される場合には、個々の素子は、本記載において、「サブ画素」と呼び、パターン内の基本単位を構成する異なる有色サブ画素の集団は「スーパー画素」と呼ぶ。例えば、色フィルターパターンの基本単位は、赤色サブ画素を１つ、青色サブ画素を１つ、緑色サブ画素を２つ含む、サブ画素の２ｘ２アレイであってよい。第２の例として、色フィルターパターンの基本単位は、赤色サブ画素を１つ、青色サブ画素を１つ、緑色サブ画素を１つ、白色サブ画素を１つ含む、サブ画素の２ｘ２アレイであってよい。これらの例の各々では、スーパー画素は４つのサブ画素に対応する。サブ画素は一般的に非常に小さいので、人間の視覚系はサブ画素の混合を単一の色として知覚する。フィルターの色は、例えばＲＧＢ、ＲＧＢＷなど、それらが、所望の色を作り出すべく加え合わせられるように選ばれるか、あるいは、例えばＣＭＹまたはＣＭＹＫなど、所望の色を作り出すべく白色光から減じられるように選ばれる。色フィルターの任意の所望のセット、例えば、ＲＧＢ、ＣＭＹ、ＲＧＢＹ、ＣＭＹＢ、またはＣＭＹＫ、が用いられてよい。白色フィルター３４０は透明な構造体であってよく、代替的に、特定のサブ画素に関連付けられるマイクロカプセル３２６と共通電極３２０との間の場所から白色フィルターが省かれるかまたはそこになくてもよい。スーパー画素が厳密に４つのサブ画素を含むということは重要でなく、代替実施形態では、スーパー画素が任意の所望の数のサブ画素を含んでもよい。加えて、特定の色がスーパー画素内に１度だけ表されるということは必須でなく、スーパー画素が、同色のサブ画素を２つ以上含んでもよい。例として、スーパー画素が緑色サブ画素を２つ以上、または白色サブ画素を２つ以上含んでもよい。
【００２６】
ディスプレイデバイスは色をできるだけ正確に再現することが望ましい。単色電気光学表示素子１３４は、様々な量の光を反射することによって、種々の異なるグレーレベルをレンダリングする。上述されたように、駆動方式からの適切な波形を表示素子１３４に印加することによって特定のグレーレベルが作り出される。同様に、有色サブ画素３３４は、様々な量の光を反射することによって、異なるレベルの明度の色をレンダリングする。しかし、単色表示素子１３４のグレーレベルを駆動するのに適した波形を用いるときには、色を作り出すのにいくつかの問題に直面する場合がある。
【００２７】
１つの問題は、単色表示素子１３４の特定のグレーレベルをレンダリングするのに適した波形が、有色サブ画素３３４の明度を調節するために用いられると、不正確になる場合があることである。第１に、有色サブ画素が色フィルターを含む場合がある。電気光学表示素子の前に色フィルターが配される場合には、入射光はフィルターを２度、すなわち、最初は素子に向かう途中で、２度目は見る人の眼に向かう途中で、通過しなければならない。色フィルターを２度通過する結果、カラーの表示素子３３４によって反射される光の量は、グレースケールの表示素子１３４に比べて減少する。単色の表示素子１３４の特定のグレーレベルをレンダリングするのに適した波形が、カラーの表示素子（サブ画素）３３４の、このより低いレベルの反射率を考慮しない場合がある。第２に、異なる有色表示素子（サブ画素）３３４のために用いられるフィルターの光学特性が異なる場合があり、例えば、光の透過または反射が異なり、例えば、赤色のフィルターが、緑色のフィルターとは異なる特性を有する場合がある。特定のグレーレベルをレンダリングするのに適した波形が、異なる色のフィルターの異なる光学特性を考慮しない場合がある。  
【００２８】
もう１つの問題は電気光学表示素子の反射性に関する。或る周囲照明の条件の下では、電気光学表示素子が反射する光が、望まれ得る量よりも少なくなる場合がある。理想的とは言えない照明条件の下で電気光学表示素子を用いてＲＧＢ値をレンダリングすると、ＲＧＢ値によって規定される明度、色相、または彩度が不足した色が見えてしまう結果になる場合がある。
【００２９】
入力データ値、例えば入力ＲＧＢデータ値、を、適当な波形を選択するべく該入力データ値を用いる前に変更することによって、グレースケールの表示素子１３４と比べると低下した、カラーの表示素子３３４の反射率を補償することが可能である。入力データ値を、適当な波形を選択するべく該データ値を用いる前に変更することによって、理想的とは言えない照明条件の下で生じる場合がある色の精度の不足を補償することも可能である。カラー電気光学表示素子の知覚明度、色相、または彩度を変える波形が選択されるように、色処理アルゴリズムを用いて入力データ値が変更されてよい。固有の色処理アルゴリズムまたは固有のパラメーターを用いる色処理アルゴリズムが、種々の異なる有色フィルターを有する表示素子用の入力データ値を変換することであることが必要となる場合がある。例えば、Ｒ色データ値を変換するために用いられる色処理アルゴリズムは、Ｂ色データ値を変換するために用いられる色処理アルゴリズムとは異なる場合がある。
【００３０】
入力データ値を、新しい表示状態への遷移を駆動するための波形を選択するべく該データを用いる前に変更することは、入力において等しいステップが、表示状態において等しい量の変化に比例するようにデータを変換すること、時として「線形化」または「ガンマ補正」と呼ばれるプロセス、を含んでよい。加えて、入力データは、線形化された入力値から、特定の電気光学ディスプレイデバイスのために最適化された値に変換されてよい。入力データを変換することは、特定の電気光学ディスプレイデバイス内で用いられる特定のＣＦＡを考慮することを含んでよい。加えて、入力データの変換は、入力データの色空間を変化させることを含んでよい。１つの例として、白色サブ画素が生成され、各ＲＧＢ入力画素に追加されてＲＧＢＷ画素を作り出してよい。最適化値を用いて選択された波形は電気光学表示素子の明度、彩度、または色相を、そうしない場合の素子の見え方から変化させてよい。例えば、最適化変換の結果、表示素子の色の見かけの明るさまたは彩度は増加してよい。最適化値を用いて選択された波形は、カラー電気光学ディスプレイデバイスに色をより正確にレンダリングさせてよい。
【００３１】
新しい表示状態への遷移を駆動するための波形を選択するための装置が提供されてよい。装置は入力ＲＧＢ値を受信し、単色電気光学表示素子においてグレーレベルを作り出すのに適した駆動方式から適切な波形を選択する。ＲＧＢ値は画素毎に処理される。ただし、装置は、波形を選択することに先立って入力データに対して１つ以上の色処理アルゴリズムを遂行する。ＲＧＢ入力値を受信した後、装置は入力値を線形化する。次に、装置は、線形化された入力値を、線形化された値に対して１つ以上の変換を遂行することによって最適化する。例えば、装置はＲＧＢ入力データ値の輝度を変更する。ＲＧＢ値をＹＣｒＣｂ色空間に変換し、Ｙ成分をスケーリングし、その後、ＹＣｒＣｂ値をＲＧＢ色空間に変換し戻すことによって輝度が変更される。別の例として、装置は、色相、彩度、またはその両記述子の規定を変えるために入力色値をシフトさせてよい。装置は入力値を別の色空間、例えばＹＣｒＣｂ、に変換し、その後、新しい色空間内で色をシフトさせてもよいし、あるいは入力色空間、例えばＲＧＢ、内で色をシフトさせてもよい。入力データの色値は、ＲＧＢ入力ベクトルに３ｘ３カーネル行列を乗じることによってシフトされてよい。特に、装置は、以下の式を実行するハードウェアまたはソフトウェアを用いて色値をシフトさせてよい。
【００３２】
【数１】
2012226336.tif 000003
【００３３】
ここで、Ｒ0、Ｇ0、およびＢ0は入力ＲＧＢ値である。Ｒ’、Ｇ’、およびＢ’は色補正値である。それぞれのＲＧＢ「ｉｎｏｆｆ」および「ｏｕｔｏｆｆ」はオフセット値である。３ｘ３カーネル行列の「Ｋ」値は色のシフトを定義する。加えて、装置は、スーパー画素毎に追加のサブ画素値を生成するべく入力データが用いられてよい色処理アルゴリズムを遂行してよく、例えば、第４のサブ画素が生成され、入力サブ画素に追加されてよい。第４のサブ画素は任意の適当な色であってもよいしまたは無色であってもよい。例えば、第４のサブ画素は黄色または黒色であってよく、例えば、ＲＧＢＹ、ＣＭＹＢ、またはＣＭＹＫ画素が生成されてよい。
【００３４】
以下の特許出願はその全体が本願明細書において参照により明示的に援用されている。
（ａ）同時係属米国特許出願、題、カラーサブ画素の処理（ＰＲＯＣＥＳＳＩＮＧ  ＣＯＬＯＲ  ＳＵＢ−ＰＩＸＥＬＳ）、出願番号第１２／９０７，１７８号、１０／１９／２０１０出願、弁護士整理番号ＶＰ３０３、（ｂ）同時係属米国特許出願、題、カラーサブ画素の配列および処理（ＡＲＲＡＮＧＩＮＧ  ＡＮＤ  ＰＲＯＣＥＳＳＩＮＧ  ＣＯＬＯＲ  ＳＵＢ−ＰＩＸＥＬＳ）、出願番号第１２／９０７，１８９号、１０／１９／２０１０出願、弁護士整理番号ＶＰ３０４、ならびに（ｃ）同時係属米国特許出願、題、カラー画像の向上（ＥＮＨＡＮＣＩＮＧ  ＣＯＬＯＲ  ＩＭＡＧＥＳ）、出願番号第１２／９０７，２０８号、１０／１９／２０１０出願、弁護士整理番号ＶＰ３０７。
これらの同時係属出願は、とりわけ、入力値を、特定の電気光学ディスプレイデバイスのために最適化された値に変換する方法および装置であって、最適化された値は、グレーレベルを作り出すのに適した単色駆動方式から波形を選択するために用いられ得る方法、および装置を記載している。
【００３５】
１つ以上の色処理アルゴリズムに従って入力データ値を変換し、その後、最適化値を用いて、グレーレベルを作り出すのに適した単色駆動方式から波形を選択する装置の使用は、画像更新プロセスにレイテンシを加える場合があり、電気光学ディスプレイを新しい情報で更新するために必要な時間を増大させてしまう。加えて、入力データ値を最適化入力値に変換する装置の使用は電力消費を増大させてしまう場合がある。
【００３６】
図４は、１つの実施形態による、双安定電気光学カラーディスプレイを駆動する方法４００および４１０を示す。方法４００は、入力データ値を、表示素子特性を補償する様式で変更し、表示素子特性を補償する波形を選択し、選択された波形を色入力データ値に対応付け、該対応付けを記録するために用いられる。方法４００の対応付けは方法４１０において用いられる。作業４０２では、表示素子の各あり得る表示状態のデータ値が変更されてよい。作業４０２は、グレースケールの表示素子１３４と比べると低下した、カラーの表示素子３３４の反射率を補償するべく入力データ値を変更することを含んでよい。加えて、作業４０２は、カラーの表示素子３３４の、生じる場合がある色の精度の不足を補償するべく入力データ値を変更することを含んでよい。作業４０２は表示素子（サブ画素）３３４の色種毎に遂行されてよい。例えば、特定の構造の表示素子３３４が、１６個のあり得る表示状態を正確にレンダリングすることができてよく、ここで、表示素子３３４は各々、３つの異なる色フィルターのうちの１つを提供されてよく、作業４０２は、各種類の色フィルターを有する表示素子について遂行される。さらに、作業４０２は、各スーパー画素のために、３つの入力色値の関数である第４のサブ画素値を生成することを含んでよい。スーパー画素が白色サブ画素を１つ以上含む場合には、スーパー画素が元の３つの入力色値のみを含む場合に用いられるものとは異なる色処理アルゴリズムが用いられてよい。換言すると、各スーパー画素に白色サブ画素が追加されるならば、入力値は異なって変換されてよい。作業４０２は、追加された種類の表示素子（サブ画素）３３４、例えば、追加された白色サブ画素、のために遂行されてよい。
【００３７】
作業４０４において、各あり得る表示状態遷移のために、対応する波形が選択される。例えば、表示素子３３４が１６個のあり得る表示状態をレンダリングすることができるならば、このときは、表示状態毎に、該表示状態へのあり得る表示状態遷移が１５個ある。表示状態遷移は、作業４０２において生成された補償された入力サブ画素色値を用いて特定される。サブ画素の色種、例えば、Ｒ、Ｂ、およびＧ、あるいはＲ、Ｂ、Ｇ、およびＷ、毎に各あり得る表示状態遷移のための波形が選択される。
【００３８】
作業４０６において、表示素子のための各あり得る入力データ値はメモリー４０８内に記憶される。加えて、最適化入力データ値（作業４０２において求められたもの）を用いて作業４０４において選択された波形はメモリー４０８内に記憶される。メモリーは、各入力データ値が、作業４０４において該特定の入力データ値の最適化版を用いて選択された波形に対応付けられるような様式で体系化される。このメモリーの体系化は、入力データ値が、該入力データ値の最適化版を用いて選択された波形を特定するために用いられることを可能にする。上述されたように、入力データ値を、入力サブ画素データをレンダリングすることを目的とする特定の表示素子の特性を補償する様式で変更することが入力データ値の最適化版を作り出してよい。
【００３９】
方法４１０は、双安定カラー電気光学ディスプレイデバイスのための画像レンダリングプロセスの一部として用いられる。作業４１２において、入力データ値が受信される。１つの例として、入力データ値はＲＧＢ画素の、１つのサブ画素値であってよい。１つの実施形態では、方法４１０は、３つの入力サブ画素値から第４のサブ画素値を生成する任意選択の作業（不図示）を含んでよい。第４のサブ画素の生成作業は、３つの入力サブ画素値の受信に続いて遂行されてよい。作業４１４において、表示状態遷移が決定される。遷移の初期状態は表示素子の現在の状態である。現在の状態は、メモリーから現在の表示状態を検索することによって決定される。遷移の次の状態は、受信された入力データ値である。作業４１６において、表示状態遷移は、メモリー４０８から波形を選択するために用いられる。作業４１６における駆動波形の選択は、特定のディスプレイデバイスによって用いられるＣＦＡを考慮に入れてよい。駆動波形の選択は、特定の入力データ値がディスプレイの特定の色フィルターに対応すると決定することを含んでよい。この決定は、入力データストリーム内の入力データ値の順序位置、および特定のＣＦＡに基づいてなされる。代替的に、この決定は、特定のＣＦＡ内の（入力データ値が対応する）サブ画素の空間位置に基づいてなされてもよい。作業４１８において、選択された波形は、表示素子を新しい表示状態に駆動するために用いられてよい。方法４００および４１０の利点は、入力データ値が、表示素子の特性を補償する波形を直接且つ最小限のレイテンシをもって選択するために用いられてよいことである。加えて、方法４００および４１０は電力消費を低減する助けとなる場合がある。
【００４０】
図５は１つの実施形態によるディスプレイシステム（表示システム）５００を示す。ディスプレイシステム５００は、ホスト５０２と、ディスプレイパネル５０６を有する双安定カラー電気光学ディスプレイデバイス５０４と、ディスプレイコントローラー５０８と、システムメモリー５１０とを含む。ディスプレイシステム５００はまた、ディスプレイメモリー５１２と、波形メモリー５１４と、温度センサー５１６と、ディスプレイ電源モジュール５１８とを含む。ホスト５０２はＣＰＵ、ＤＳＰ、または他のデバイスであってよい。ディスプレイメモリー５１２は揮発性または不揮発性メモリーであってよい。加えて、ディスプレイメモリー５１２はディスプレイコントローラー５０８の内部にあってもよいし、またはそれは独立した構成要素であってもよい。ディスプレイメモリー５１２は画像バッファー５２０と、更新バッファー５２２とを含んでよい。ディスプレイコントローラー５０８は画素プロセッサー５２４と、１つ以上の更新パイプ５２６と、タイミング生成ユニット５２８とを含む。
【００４１】
波形メモリー５１４は１つ以上の駆動方式を記憶する。記憶される駆動方式は、表示素子の各あり得る表示状態を記述するデータ入力値を含んでよい。加えて、すべてのあり得る入力データ値の最適化版を用いて選択された波形が波形メモリー５１４内に記憶されてよい。記憶される駆動方式は、サブ画素の色種毎の各あり得る入力データ値を含んでよい。加えて、記憶される駆動方式は、最適化された入力データ値を用いて選択された波形を含んでよい。最適化された入力データ値は、入力データ値を、入力サブ画素データをレンダリングすることを目的とする特定の表示素子の特性を補償する様式で変更することによって作り出される。記憶された駆動方式は、各入力データ値が、該特定の入力データ値の最適化版を用いて選択された波形に対応付けられるような様式で体系化される。この駆動方式の体系化は、入力データ値が、該入力データ値の最適化版を用いて選択された波形を特定するために用いられることを可能にする。１つの実施形態では、上述された方法４００に従って駆動方式が作り出され、記憶される。
【００４２】
作業において、画像、または画像の部分がホスト５０２によって画像バッファー５２０内に記憶される。画像データは、表示素子によってレンダリングされることが可能な任意の色を記述する入力データ値を含む。加えて、画像データは、元の入力データから生成される第４のサブ画素データ値を含んでもよい。ディスプレイデバイス５０４を更新することが望まれるときには、更新されるべき表示素子のための画像データは画素プロセッサー５２４によって画像バッファー５２０から読み込まれる。加えて、更新されるべき表示素子の現在の表示状態は画素プロセッサー５２４によって更新バッファー５２２から読み込まれる。画素プロセッサー５２４によって表示状態遷移が決定され、更新バッファー５２２に書き戻される。１つ以上の表示状態遷移が更新バッファー５２２に書き戻された後、更新パイプ５２６は、更新されるべき表示素子のための表示状態遷移を更新バッファー５２２から読み込む。加えて、更新パイプ５２６は波形メモリー５１４から１つ以上の駆動方式を複製する。複製される駆動方式は、ディスプレイ５０４内で用いられる特定のＣＦＡに適したものである。加えて、複製される駆動方式は環境条件、例えば、温度、周囲照明、に適したものであってよい。更新パイプ５２６は、表示状態遷移を用いて、駆動方式から、更新されるべき各表示素子のための波形を選択する。更新パイプ５２６は、ディスプレイの特定の色フィルターとともに使用されるべく最適化された駆動方式から、特定の表示状態遷移のための駆動波形を選択する。この選択は、特定のＣＦＡ内の、表示状態遷移に関連付けられるサブ画素の位置に基づいてなされる。各フレーム期間において、更新パイプ５２６は、選択された波形に従って、更新されるべき各表示素子に駆動パルスを提供する（または提供しなくてもよい）。タイミング生成ユニット５２８に駆動パルス群が提供される。各フレーム期間中、タイミング生成ユニット５２８はフレームの表示素子の場所をラスター順序で端から端まで進む。タイミング生成ユニット５２８はディスプレイ電源モジュール５１８およびディスプレイ５０４にラスター順序で、ディスプレイデバイス５０４のタイミング要件に従って波形データを提供する。ディスプレイ電源モジュール５１８は、パルスを記述するデータを、表示状態遷移を駆動するために用いられてよいパルスに変換する。システム５００の利点は、入力データ値が、表示素子の特性を補償する波形を直接且つ最小限のレイテンシをもって選択するために用いられてよいことである。
【００４３】
図６は１つの代替実施形態によるディスプレイシステム６００を示す。ディスプレイシステム６００はシステム５００と同じ構成要素を含む。ディスプレイシステム６００は波形メモリーＡ（６１３）を追加的に含んでよく、波形メモリー５１４は波形メモリーＢ（６１４）と表されてよい。ディスプレイコントローラー６０８は、ディスプレイコントローラー５０８と同じ要素、ならびに追加的に色プロセッサー６３０および初期化ユニット６３４を含む。ディスプレイメモリー６１２は画像バッファー６２０、更新バッファー６２２を含み、追加的にカラー画像バッファー６３２を含んでよい。ディスプレイコントローラー６０８はいくつかの異なるモードで動作する。
【００４４】
動作の第１のモードでは、ディスプレイコントローラー６０８は、図５に示されるディスプレイコントローラー５０８と同様に動作する。第１のモードでは、色プロセッサー６３０、初期化ユニット６３４、カラー画像バッファー６３２、および波形メモリーＡ（６１３）は用いられない。第１のモードでは、波形メモリーＢ（６１４）は、波形メモリー５１４について上述されたものと同じデータを記憶するために用いられる。特に、波形メモリーＢ（６１４）は、サブ画素の各あり得る表示状態を記述するデータ値と入力データ値の最適化版を用いて選択された波形とを有する駆動方式を記憶する。波形メモリーＢは、サブ画素の各あり得る表示状態を記述する入力データ値を、選択された波形と対応付け、または関連付ける。
【００４５】
動作の第２のモードでは、色プロセッサー６３０、波形メモリーＡ（６１３）、およびカラー画像バッファー６３２が用いられる。波形メモリーＢ（６１４）および初期化ユニット６３４は用いられない。波形メモリーＡ（６１３）は、単色電気光学画素のグレーレベルを駆動するのに適した波形を有する駆動方式を記憶する。第２のモードでは、色プロセッサー６３０によって画像バッファー６２０から画像データが取り込まれる。色プロセッサー６３０は画像データに対して１つ以上の色処理アルゴリズムを遂行する。色処理アルゴリズムは、グレースケールの電気光学表示素子と比べると低下した、カラー電気光学表示素子の反射率を補償するべく画像データ値を調整する。加えて、色処理アルゴリズムは、任意の所望の種類の補償を行うべく画像データ値を調整してよい。色処理アルゴリズムは、入力データ値を、特定の入力データをレンダリングすることを目的とする特定の表示素子の特性を補償する様式で変更することによって、最適化された入力データ値を作り出す。最適化された画像データは色プロセッサー６３０によってカラー画像バッファー６３２内に記憶される。第２のモードでは、画素プロセッサー６２４は、それが、画像バッファー６２０からの入力データの代わりに、カラー画像バッファー６３２から、最適化された入力画像データを取り込むことを除き、画素プロセッサー５２４と同様に動作する。更新パイプ６２６は波形メモリーＡ（６１３）から特定の環境条件に適した駆動方式を選択する。更新パイプ６２６は、表示状態遷移を用いて駆動方式から、更新されるべき各表示素子のための波形を選択する。各フレーム期間において、更新パイプ６２６は、選択された波形に従って、更新されるべき各表示素子に駆動パルスを提供する（または提供しなくてもよい）。タイミング生成ユニット６２８に駆動パルス群が提供される。タイミング生成ユニット６２８は、相当するユニット５２８について上述された様式で動作する。
【００４６】
動作の第３のモードでは、ディスプレイコントローラー６０８は、波形メモリーＢ（６１４）に、入力データ値の最適化版を用いて選択された波形を格納するために用いられる。加えて、波形メモリーＢ（６１４）は、サブ画素の各あり得る表示状態を記述するデータ値を格納されてよく、当該データ値は特定の選択された波形への対応付けとともに記憶されてよい。１つの実施形態では、作業の第３のモードにおけるディスプレイコントローラー６０８は方法４００を遂行する。
【００４７】
作業の第３のモードでは、更新パイプおよびタイミング生成ユニットは用いられない。ただし、これは必須ではない。画像バッファー６２０および更新バッファー６２２内に初期化画像データが記憶される。画像バッファー６２０内に記憶される初期化画像データは、表示素子の色成分の各あり得る表示状態の入力データ値を含む。加えて、初期化画像データは各色種のサブ画素のためのデータ値を含んでよい。更新バッファー６２２内に記憶される初期化画像データはサブ画素のためのすべてのあり得る表示状態遷移のためのデータ値を含む。作業の第３のモードでは、画像データは色プロセッサー６３０によって画像バッファー６２０から取り込まれる。色プロセッサー６３０は画像データに対して１つ以上の色処理アルゴリズムを遂行する。色プロセッサー６３０は第４のサブ画素データ値を生成する。色処理アルゴリズムは、グレースケールの電気光学表示素子と比べると低下した、カラー電気光学表示素子の反射率を補償するべく画像データ値を調整する。色処理アルゴリズムは、入力データ値を、特定の入力サブ画素データをレンダリングすることを目的とする特定の表示素子の特性を補償する様式で変更することによって、最適化された入力データ値を作り出す。最適化された画像データは色プロセッサー６３０によってカラー画像バッファー６３２内に記憶される。画素プロセッサー６２４は、画像データをカラー画像バッファー６３２から取り込むとともに、すべてのあり得る表示状態遷移を記述する初期化画像データを取り込む。画素プロセッサー６２４は表示状態遷移を決定し、該遷移を更新バッファー６２２内に記憶する。初期化ユニット６３４は表示状態遷移を取り込み、波形メモリーＡ（６１３）から波形を選択する。その後、初期化ユニット６３４は波形メモリーＢ（６１４）に、選択された波形をその関連入力サブ画素の表示状態と一緒に格納する。
【００４８】
１つの実施形態では、本記載において記載されている作業および方法の一部またはすべてはハードウェア、ソフトウェアによって、あるいはハードウェアおよびソフトウェアの組み合わせによって遂行されてよい。
【００４９】
１つの実施形態では、本記載において記載されている作業および方法の一部またはすべては、非一時的コンピューター可読媒体内またはその上に記憶されている命令を実行することによって遂行されてよい。「コンピューター可読媒体」という用語は、ＥＰＲＯＭ、ＥＥＰＲＯＭ、ＲＯＭ、フロッピー（登録商標）ディスク、ハードディスク、フラッシュメモリー等の不揮発性メモリー、ならびにＣＤ−ＲＯＭおよびＤＶＤ等の光媒体を含む。ただし、それらに限定されるものではない。命令は任意の適当な装置、例えば、ホストまたはディスプレイコントローラー、によって実行されてよい。命令が実行されると、装置は物理的な機械作業を遂行する。
【００５０】
本記載では、「１つの実施形態」または「一実施形態」に言及がなされる場合がある。これらの言及は、該実施形態に関連して記載されている特定の機構、構造、または特徴が、クレームされている発明の少なくとも１つの実施形態の中に含まれることを意味する。故に、いろいろな場における「１つの実施形態では」または「一実施形態」という表現は必ずしもすべて、同じ実施形態に言及しているわけではない。さらに、特定の機構、構造、または特徴が１つ以上の実施形態において組み合わせられてもよい。
【００５１】
理解を明瞭にする目的のために実施形態がかなり詳細に記載されているが、添付の請求項の範囲内において或る程度の改変および変更が実施されてよいことは明らかであろう。従って、記載されている実施形態は限定ではなく例示と見なされるべきであり、クレームされている発明は、本明細書において示されている詳細に限定されてはならず、添付の請求項の範囲および同等物の内で変更されてよい。さらに、以上の明細書において用いられている用語および表現は、限定の用語ではなく説明の用語として用いられており、このような用語および表現の使用に際して、図示され記載されている機構またはそれらの部分の同等物を排除しようという意図はない。本発明の範囲は、以下に続く請求項によってのみ定義され限定されると認められる。
【符号の説明】
【００５２】
１１８…ディスプレイ、１２０，３２０…透明共通電極、１２２，３２２…表示素子電極、１２４，３２４…基板、１２６，３２６…マイクロカプセル、１２８…白色粒子、１３０…黒色粒子、１３２，３３２…流体、１３４，３３４…表示素子、２０２，２０４…波形、３１８…カラーディスプレイ、３２８…明色粒子、３３０…暗色粒子、３３６，３３８，３４０，３４２…フィルター、５００，６００…ディスプレイシステム、５０２…ホスト、５０４…双安定カラー電気光学ディスプレイデバイス、５０６…ディスプレイパネル、５０８，６０８…ディスプレイコントローラー、５１０…システムメモリー、５１２，６１２…ディスプレイメモリー、５１４，６１３，６１４…波形メモリー、５１６…温度センサー、５１８…ディスプレイ電源モジュール、５２０，６２０…画像バッファー、５２２，６２２…更新バッファー、５２４…画素プロセッサー、５２６，６２６…更新パイプ、５２８…タイミング生成ユニット、６３０…色プロセッサー、６３２…カラー画像バッファー、６３４…初期化ユニット。
【図１】
2012226336.tif 000004
【図２】
2012226336.tif 000005
【図３】
2012226336.tif 000006
【図４】
2012226336.tif 000007
【図５】
2012226336.tif 000008
【図６】
2012226336.tif 000009